(57)【要約】【目的】この発明の目的は、外部要因の影響を受けにくくすることができ、接続される装置の動作の確実性を向上することことにある。【構成】このため、この発明は、特定のコードを含む光信号を出力する発光部と、この発光部の出力する光信号に含まれるコードを照合して照合結果に基づく信号を出力する受光部とからなり、これら発光部と受光部とは互いに接触することにより作動を開始し、発光部は特定のコードを含む光信号を出力するとともに、受光部は発光部の出力する光信号に含まれるコードを照合して照合結果に基づく信号を出力することを特徴とする。【選択図】        図１
2004238933.tif 000002
【特許請求の範囲】
【請求項１】
特定のコードを含む光信号を出力する発光部と、この発光部の出力する光信号に含まれるコードを照合して照合結果に基づく信号を出力する受光部とからなり、これら発光部と受光部とは互いに接触することにより作動を開始し、前記発光部は特定のコードを含む光信号を出力するとともに、前記受光部は前記発光部の出力する光信号に含まれるコードを照合して照合結果に基づく信号を出力することを特徴とする発光式接触スイッチ。
【請求項２】
前記発光部と受光部とには、互いに接触することにより作動を開始する発光側作動回路と受光側作動回路とを夫々設けたことを特徴とする請求項１に記載の発光式接触スイッチ。
【請求項３】
前記受光部には、照合結果に基づく信号を出力する出力回路を設け、この出力回路には照合結果に基づく信号により作動を許容・禁止される装置を接続して設けたことを特徴とする請求項１又は請求項２に記載の発光式接触スイッチ。
【請求項４】
前記受光部には、内部又は外部に受光側電源を設けたことを特徴とする請求項１乃至請求項３のいずれかに記載の発光式接触スイッチ。
【発明の詳細な説明】
【０００１】
【発明の属する技術分野】
この発明は発光式接触スイッチに係り、特に、外部要因の影響を受けにくくすることができ、接続される装置の動作の確実性を向上することができる発光式接触スイッチに関する。
【０００２】
【従来の技術】
自動車等には、遠隔操作によりドア開閉やエンジン始動を許容・禁止する装置を搭載しているものがある。
【０００３】
このような装置を遠隔操作する操作機器としては、光信号を送出するキーと、キーを挿入するキースロット及び光信号の入射口を有した錠筐と、入射した光信号に含むコードが予め登録されたコードと一致した場合に外部負荷の作動を許容する制御部とからなり、錠筐と制御部とを蛍光物質を含有した光ファイバで接続し、光ファイバの側面から光線を照射して蛍光物質を励起状態にすることで光信号を増幅するものがある（例えば、特許文献１参照。）。
【０００４】
【特許文献１】
特開平１０−１００８６３号公報（第２、３頁、図１）
【０００５】
【発明が解決しようとする課題】
ところで、装置を遠隔操作する場合には、光リモコン式や無線式、指紋照合式、磁石式等の操作機器を使用している。
【０００６】
ところが、光リモコン式の操作機機は、光の直進性のため、装置と操作機器との間に障害物が入ると、動作不良を招く問題がある。また、無線式の操作機機は、強電界域・携帯電話の使用中等の電波障害の環境において、動作不良を招く問題がある。
【０００７】
さらに、指紋照合式の操作機機は、指の汚れ・傷等により、動作不良を招く問題がある。さらにまた、磁石式の操作機器は、磁気カードの不良、読み取り装置のゴミや砂による動作不良、耐水性の問題がある。
【０００８】
このため、従来は、このような問題を回避するために多様な回避手段を講じているが、結果的に構成の複雑化や動作の繊細化を招くことから、外部要因の影響を受け易くなり、接続される装置の動作の確実性が低下する不都合がある。
【０００９】
【課題を解決するための手段】
そこで、この発明は、上述の不都合を除去するために、特定のコードを含む光信号を出力する発光部と、この発光部の出力する光信号に含まれるコードを照合して照合結果に基づく信号を出力する受光部とからなり、これら発光部と受光部とは互いに接触することにより作動を開始し、前記発光部は特定のコードを含む光信号を出力するとともに、前記受光部は前記発光部の出力する光信号に含まれるコードを照合して照合結果に基づく信号を出力することを特徴とする。
【００１０】
【発明の実施の形態】
この発明の発光式接触スイッチは、特定のコードを含む光信号を出力する発光部とこの発光部の出力する光信号に含まれるコードを照合して照合結果に基づく信号を出力する受光部とを、互いに接触させることにより作動を開始させていることにより、接触させた状態で光信号を送受信していることから、障害物や電波障害の環境、指の汚れ・傷等の外部要因による影響を受けにくくすることができ、接続される装置の動作の確実性を向上することができる
【００１１】
【実施例】
以下図面に基づいて、この発明の実施例を説明する。図１・図２は、この発明の第１実施例を示すものである。図１において、２は発光式接触スイッチ、４は発光部、６は受光部である。発光式接触スイッチ２は、後述する装置４０を操作する操作機器であり、特定のコードを含む光信号を出力する発光部４と、この発光部４の出力する光信号に含まれるコードを照合して照合結果に基づく信号を出力する受光部６とからなる。
【００１２】
発光部４は、携帯し得る大きさ・重量に形成される発光側本体８を設けている。発光側本体８は、防水処理を施され、前面に光透過性及び磁力透過性の材料（例えば、強化プラスチック）により形成される発光側接触体１０を設けている。発光側接触体１０は、汚れ・傷等を考慮して発光側本体８に交換可能に設けられている。発光側本体８内には、発光側接触体１０に近接して、発光体１２と永久磁石１４と発光側リレー１６とを配設している。
【００１３】
発光体１２は、特定のコードを含む光信号（可視光又は不可視光）を発する。永久磁石１４は、後述する受光側リレー３０をオン動作させる。発光側リレー１６は、リードリレーからなり、後述する受光部６の電磁石２８によりオン動作される。この発光側リレー１６は、受光部６の電磁石２８と併せて発光側作動回路を構成する。
【００１４】
また、発光側本体８内には、発光側電源１８と駆動回路２０とを設けている。発光側電源１８は、発光側リレー１６のオン動作により作動用電力（例えば、ＤＣ：１Ｖ〜６Ｖ）を供給する。駆動回路２０は、予め記憶してある特定のコードを含む光信号を発するように発光体１２を駆動する。
【００１５】
前記受光部６は、受光側本体２２を設けている。受光側本体２２は、防水処理を施され、前面に光透過性及び磁力透過性の材料（例えば、強化プラスチック）により形成される受光側接触体２４を設けている。受光側接触体２４は、汚れ・傷等を考慮して受光側本体２２に交換可能に設けられている。受光側本体２２内には、受光側接触体２４に近接して、受光体２６と電磁石２８と受光側リレー３０とを配設している。
【００１６】
受光体２６は、前記発光体１２の発する光信号を受けて光電変換する。電磁石２８は、前記発光側リレー１６をオン動作させる。受光側リレー３０は、リードリレーからなり、前記永久磁石１４によりオン動作される。この受光側リレー３０は、発光部４の永久磁石１４と併せて受光側作動回路を構成する。
【００１７】
また、受光側本体２２内には、発光側電源３２と判定回路３４と出力回路３６と作動ランプ３８とを設けている。発光側電源３２は、受光側リレー３０のオン動作により作動用電力（例えば、ＡＣ：１００Ｖ／ＤＣ：３〜３０Ｖ）を供給する。判定回路３４は、受光体２６に入力した光信号に含まれるコードと予め記憶してあるコードとを照合し、コードが一致するか否かを判定する。出力回路３６は、判定回路３４の照合結果に基づく信号を出力する。作動ランプ３８は、受光側リレー３０のオン動作を受けて点灯され、作動中であることを表示する。
【００１８】
受光部６の出力回路３６には、外部の装置４０を接続して設けている。装置４０は、例えば錠機構や盗難防止装置等からなり、出力回路３６の出力する照合結果に基づく信号により作動を許容・禁止される。なお、受光側電源３２は、受光側本体２２の内部に設けたが、外部の商用電源（直流又は交流）を直接若しくは電圧変換し、作動用電力として供給することもできる。
【００１９】
前記発光部４は、発光側接触体１０を受光部６の受光側接触体２４に接触させると、電磁石２８により発光側リレー１６がオン動作されて作動を開始し、発光側電源１８から駆動回路２０に作動用電力が供給され、発光体１２から特定のコードを含む光信号を出力する。この特定のコードは、例えば、任意の複数桁の文字、数字の組み合わせからなる。
【００２０】
前記受光部６は、発光側接触体２４に発光部４の発光側接触体１０が接触されると、永久磁石１４により受光側リレー３０がオン動作されて作動を開始し、受光側電源３２から電磁石２８と判定回路３４と出力回路３６と作動ランプ３８とに作動用電力が供給され、電磁石２８を励磁し、受光体２６により光信号を光電変換し、判定回路３４によりコードを照合し、出力回路３６により照合結果に基づく信号を出力し、作動ランプ３８を点灯する。
【００２１】
このように、この発光式接触スイッチ２は、発光部４と受光部６とには互いに接触することにより作動を開始する発光側作動回路と受光側作動回路とを夫々設け、受光部６には照合結果に基づく信号を出力する出力回路３６を設け、この出力回路３６には照合結果に基づく信号により作動を許容・禁止される装置４０を接続して設け、また、受光部６には内部又は外部に受光側電源３２を設けている。
【００２２】
次に、この実施例の作用を説明する。
【００２３】
発光式接触スイッチ２は、使用に際して、発光部４を携帯し、受光部６を錠機構や盗難防止装置等の装置４０に接続する。発光式接触スイッチ２は、図２に示す如く、発光部４の発光側接触体１０を受光部６の受光側接触体２２に接触させると（１０２）作動を開始し、永久磁石１４により受光側リレー３０がオン動作され（１０４）、受光側電源３２により作動用電力が供給される（１０６）。
【００２４】
受光側電源３２により作動用電力が供給（１０６）されると、作動ランプ３８が点灯されて電磁石２８が励磁され（１０８）、この電磁石２８により発光側リレー１６がオン動作される（１１０）。
【００２５】
発光側リレー１６がオン動作（１１０）されると、発光側電源１８により作動用電力が駆動回路２０に供給され（１１２）、発光体１２から特定のコードを含む光信号が出力される（１１４）。
【００２６】
発光体１２の出力（１１４）する光信号は、受光部６の受光体３０に入力されて光電変換され（１１６）、判定回路３４により光信号に含まれるコードと予め記憶してあるコードとを照合され、コードが一致するか否かを判定される（１１８）。
【００２７】
出力回路３６は、判定回路３４の照合結果を受けて、照合結果に基づく信号として、コードが一致した場合の許容信号とコードが一致しない場合の禁止信号とのいずか一方を外部の装置４０に出力する（１２０）。装置４０は、出力回路３６の出力するコードが一致した場合の許容信号により作動を許容され、コードが一致しない場合の禁止信号により作動を禁止される（１２２）。
【００２８】
また、発光式接触スイッチ２は、発光部４の発光側接触体１０が受光部６の受光側接触体２４から離間されると（１２４）、永久磁石１４及び電磁石２８が離間されることにより発光側リレー１６及び受光側リレー３０が夫々オフ動作され（１２６）、発光側電源１８及び受光側電源３２による作動用電力の供給が遮断され（１２８）、作動が終了する。
【００２９】
このように、この発光式接触スイッチ２は、特定のコードを含む光信号を出力する発光部４と、この発光部４の出力する光信号に含まれるコードを照合して照合結果に基づく信号を出力する受光部６とからなり、この発光部４と受光部６とを互いに接触させることにより作動を開始させている。
【００３０】
これにより、この発光式接触スイッチ２は、接触させた状態で光信号を送受信していることから、障害物や電波障害の環境、指の汚れ・傷等の外部要因による影響を受けにくくすることができ、接続される装置４０の作動を確実に許容・禁止することができ、動作の確実性を向上することができる
【００３１】
また、この発光式接触スイッチ２は、動作不良の要因となる粉塵や汚れ、傷に対して発光側接触体１０や受光側接触体２４を交換することにより容易に対応することができ、発光部４に適度の大きさ・重量を持たせることにより携帯時の所持感覚を生じさせることができ、樹脂モールドで成形することにより防水等の対策をとることができる。
【００３２】
なお、この発明は、上述実施例に限定されることなく、種々応用改変が可能である。
【００３３】
例えば、図３は、第２実施例を示すものである。第２実施例の発光式接触スイッチ２は、発光部４に、異なるコードを含む複数の光信号を記憶する記憶回路４２と、この記憶回路４２に記憶された複数の光信号の１つを任意に選択可能であるとともに選択された光信号の１つを駆動回路２０に出力する選択回路４４とを設けたものである。
【００３４】
この発光式接触スイッチ２は、発光部４の記憶回路４２に記憶された複数の光信号の１つを選択回路４４によって選択して駆動回路２０に出力することができ、異なるコードを含む複数の光信号の１つを任意に選択して出力することができる。
【００３５】
これにより、第２実施例の発光式接触スイッチ２は、発光部４の出力する異なるコードを含む複数の光信号の各々に対応する複数の受信部６を設け、これら複数の受信部６を複数の装置４０、例えば家の扉の錠機構や車両のドアの錠機構、倉庫の扉の錠機構等に各々接続することによって、発光部４から各装置４０に対応する異なるコードを含む光信号を選択して出力することにより、１つの受信部６により複数の装置４０の各々の作動を許容して解錠させることができる。
【００３６】
このため、第２実施例の発光式接触スイッチ２は、１つの発光部４によって複数の装置４０である錠機構の解錠を許容・禁止することができる。
【００３７】
図４は、第３実施例を示すものである。第３実施例の発光式接触スイッチ２は、発光部４に、任意の文字、数字を特定のコードとして入力可能な入力回路４６と、この入力回路４６から入力された特定のコードを光信号に変換して駆動回路２０に出力する変換回路４８とを設け、受光部６に、判定回路３４に記憶されているコードを発光部６から入力された新たな特定のコードに置換する置換回路５０を設けたものである。
【００３８】
この発光式接触スイッチ２は、発光部４の入力回路４６から入力された新たな特定のコードを変換回路４８によって光信号に変換して駆動回路２０に出力することができ、発光体１２によって新たな特定のコードを含む光信号を出力することができ、受光部４の置換回路５０によって判定回路３４に記憶されているコードを受光体２６に入力する新たな特定のコードに置換することができる。
【００３９】
第３実施例の発光式接触スイッチ２は、発光部４において任意の文字、数字を入力して新たな特定のコードを設定することができるとともに、受光部６においてこの新たな特定のコードに置換することができるため、使用者が所望に応じて特定のコードを容易に変更することができ、第３者による装置４０である錠機構の解錠操作を困難なものとすることができる。
【００４０】
なお、第３実施例においては、使用者により特定のコードを任意に変更可能としたが、発光部４及び受光部６に夫々記憶されている特定のコードを一定周期毎に相互に同期して同じ特定のコードに変更する手段を設けることにより、特定のコードが経時的に変更されるため、第３者による装置４０である錠機構の解錠操作をより困難なものにすることができる。
【００４１】
また、上述実施例においては、１の光信号を照合して接続される装置４０の作動を許容・禁止したが、異なるコードを含む複数の光信号を順次に出力可能な発光部４を設け、この発光部４が出力する異なるコードを含む複数の光信号を順次に受信して照合し、この照合結果に基づく信号を出力する受光部６を設けることにより、複数の正規な光信号を適正な順序で発しないと装置４０の作動が許容されないため、第３者による装置４０である錠機構の解錠操作をより困難なものにすることができる。
【００４２】
【発明の効果】
このように、この発明の発光式接触スイッチは、接触させた状態で光信号を送受信していることから、障害物や電波障害の環境、指の汚れ・傷等の外部要因による影響を受けにくくすることができ、接続される装置の動作の確実性を向上することができる。
【図面の簡単な説明】
【図１】発光式接触スイッチの実施例を示すブロック図である。
【図２】発光式接触スイッチの動作を説明する図である。
【図３】発光式接触スイッチの第２実施例を示すブロック図である。
【図４】発光式接触スイッチの第３実施例を示すブロック図である。
【符号の説明】
２  発光式接触スイッチ
４  発光部
６  受光部
８  発光側本体
１０  発光側接触体
１２  発光体
１４  永久磁石
１６  発光側リレー
１８  発光側電源
２０  駆動回路
２２  受光側本体
２４  受光側接触体
２６  受光体
２８  電磁石
３０  受光側リレー
３２  受光側電源
３４  判定回路
３６  出力回路
３８  作動ランプ
４０  装置
【図１】
2004238933.tif 000003
【図２】
2004238933.tif 000004
【図３】
2004238933.tif 000005
【図４】
2004238933.tif 000006
【手続補正書】
【提出日】平成15年2月12日(2003.2.12)
【手続補正１】
【補正対象書類名】図面
【補正対象項目名】全図
【補正方法】変更
【補正の内容】
【図１】
2004238933.tif 000007
【図２】
2004238933.tif 000008
【図３】
2004238933.tif 000009
【図４】
2004238933.tif 000010